(57)【要約】 ある品目を収容するように構成され、外面を有する壁を有するレセプタクル２０を有し、レセプタクルが、少なくとも１つの熱伝導性材料を含む温度調節式装置。温度調節式装置は、レセプタクルの壁の外面に固定された熱電装置１００と、熱電装置に隣接する冷却板２６０を有する液体ループ熱交換システム１５０ｄとをさらに有し、熱電装置は、レセプタクルの壁と冷却板との間に配置され、熱電装置は、レセプタクルと冷却板の両方に対して熱伝導性を有する。
2016519274.tif 000002
【特許請求の範囲】
【請求項１】
ある品目を収容するように構成され、外面を有する壁を有するレセプタルであって、少なくとも１つの熱伝導性材料を含むレセプタクルと、
前記レセプタクルの壁の外面に固定された熱電装置と、
前記熱電装置に隣接する冷却板を有する液体ループ熱交換システムであって、前記レセプタクルの壁と前記冷却板との間に配置され、前記レセプタクルと前記冷却板の両方に対して熱伝導性を有する液体ループ熱交換システムと、を有する温度調節式装置。
【請求項２】
飲料容器を収容する飲料ホルダを有する、請求項１に記載の装置。
【請求項３】
容器を有する、請求項１に記載の装置。
【請求項４】
前記レセプタクルは、周囲環境に対して少なくとも部分的に開放される、請求項１に記載の装置。
【請求項５】
前記レセプタクルは、密閉された空間を画定するように構成される、請求項１に記載の装置。
【請求項６】
前記レセプタクルの壁は、側壁と底壁の少なくとも一方を有する、請求項１に記載の装置。
【請求項７】
前記冷却板は、入口および出口と、前記入口と前記出口との間を延びる液体流路とを含む、請求項１に記載の装置。
【請求項８】
前記冷却板は、単体構成または一体構成を有する、請求項１に記載の装置。
【請求項９】
前記冷却板は、互いに嵌り合うように構成された少なくとも２つの部分を有する、請求項１に記載の装置。
【請求項１０】
前記液体流路は、蛇行形状または屈曲形状を有する、請求項７に記載の装置。
【請求項１１】
前記液体流路は非直線形状を有する、請求項７に記載の装置。
【請求項１２】
前記液体ループ熱交換システムは、二次熱交換器と、ポンプと、流体導管とをさらに有する、請求項１から１１のいずれか一項に記載の装置。
【請求項１３】
前記二次熱交換器は前記冷却パックから分離される、請求項１から１１のいずれか一項に記載の装置。
【請求項１４】
前記二次熱交換器は空気式熱交換器を有する、請求項１から１１のいずれか一項に記載の装置。
【請求項１５】
前記熱電装置は、前記レセプタクルの壁の外面に直接固定される、請求項１から１１のいずれか一項に記載の装置。
【請求項１６】
前記熱電装置は、前記レセプタクルの壁の外面に間接的に固定され、少なくとも１つの中間部材が前記熱電装置と前記レセプタクルの壁との間に配置され、前記少なくとも１つの中間部材が熱伝導性を有する、請求項１から１１のいずれか一項に記載の装置。
【請求項１７】
前記少なくとも１つの中間部材は、放熱グリス、伝熱箔、および伝熱パッドの少なくとも１つを有する、請求項１６に記載の装置。
【請求項１８】
前記少なくとも１つの中間部材は、熱伝導性スペーサブロックを有する、請求項１６に記載の装置。
【請求項１９】
断熱層が前記壁の外部の少なくとも一部に沿って配置される、請求項１から１１のいずれか一項に記載の装置。
【請求項２０】
断熱層が前記スペーサブロックの周りに前記壁の外部の少なくとも一部に沿って配置され、前記スペーサブロックは、前記断熱層が存在するにもかかわらず前記熱電装置と前記レセプタクルの壁とが熱接触するのを可能にする、請求項１８に記載の装置。
【請求項２１】
前記壁は、前記熱電装置と前記冷却パックの少なくとも一方を当該壁に直接固定する少なくとも１つの機構を有する、請求項１から１１のいずれか一項に記載の装置。
【請求項２２】
前記少なくとも１つの機構は、留め具を収容する少なくとも１つの開口部を有する、請求項２１に記載の装置。
【請求項２３】
前記冷却パックは、少なくとも１つの取付け方法を使用して前記壁に直接結合され、前記熱電装置は、前記冷却パックが前記壁に結合されたときに前記壁と前記冷却パックとの間に配置される、請求項１から１１のいずれか一項に記載の装置。
【請求項２４】
前記少なくとも１つの取付け方法は、ねじ、ボルト、別の留め具、別の機械的連結部、および接着剤の少なくとも１つを含む、請求項２３に記載の装置。
【請求項２５】
空気を前記二次熱交換器の一部を横切らせるかまたは前記一部の近くを通過させるように構成された少なくとも１つの送風機をさらに有する、請求項１２に記載の装置。
【請求項２６】
前記少なくとも１つの熱伝導性材料は、金属、合金、および熱伝導性熱可塑性材料の少なくとも１つを含む、請求項１から１１のいずれか一項に記載の装置。
【請求項２７】
前記少なくとも１つの熱伝導性材料は、アルミニウム、銅、または鋼を含む、請求項１から１１のいずれか一項に記載の装置。
【請求項２８】
前記少なくとも１つの熱伝導性材料は、熱伝導性プラスチックを含む、請求項１から１１のいずれか一項に記載の装置。
【請求項２９】
飲料容器を収容するように構成され、側壁および底壁を有し、前記側壁および前記底壁が一体構造を形成するレセプタクルであって、少なくとも熱伝導性材料含むレセプタクルと、
前記レセプタクルの側壁または底壁の一部内に配置されたくぼみと、
前記くぼみ内に固定された熱電装置であって、前記レセプタクルを伝導的に冷却または加熱するように構成される熱電装置と、を有する温度調節式飲料ホルダ。
【請求項３０】
前記熱電装置から熱を逃がすように構成された少なくとも１つの熱交換組立体をさらに有する、請求項２９に記載の飲料ホルダ。
【請求項３１】
前記熱交換組立体は、前記レセプタクルの前記一体構造に組み込まれる、請求項３０に記載の飲料ホルダ。
【請求項３２】
前記熱交換組立体は、空気式熱交換システムを有する、請求項３１に記載の飲料ホルダ。
【請求項３３】
前記熱交換組立体は、複数のフィンを有する、請求項３２に記載の飲料ホルダ。
【請求項３４】
前記フィンは、前記レセプタクルの前記一体構造から前記レセプタクルの前記底壁または前記側壁に沿って形成される、請求項３３に記載の飲料ホルダ。
【請求項３５】
前記熱交換組立体は、液体ループ熱交換システムを有する、請求項３１に記載の飲料ホルダ。
【請求項３６】
前記熱交換組立体は、少なくとも１つの液体流路を有し、
前記少なくとも１つの液体流路は、使用時に前記熱電装置から熱を奪うために液体を収容するように構成され、
前記少なくとも１つの液体流路は、前記レセプタクルの壁内に配置された開口部を有する、請求項３０に記載の飲料ホルダ。
【請求項３７】
前記少なくとも１つの液体流路は、蛇行状に向きが定められる、請求項３６に記載の飲料ホルダ。
【請求項３８】
前記くぼみおよび前記少なくとも１つの液体流路の各々は、前記レセプタクルの底壁内に配置される、請求項３６に記載の飲料ホルダ。
【請求項３９】
前記少なくとも１つの熱伝導性材料は、金属、合金、および熱伝導性熱可塑性物質の少なくとも１つを含む、請求項２９に記載の飲料ホルダ。
【請求項４０】
前記熱電装置は、温度の変動に応じて前記くぼみ内で伸縮することが可能である、請求項２９に記載の飲料ホルダ。
【請求項４１】
前記熱交換組立体は、前記レセプタクルの一体構造の除去される部分によって製造される、請求項３０に記載の飲料ホルダ。
【請求項４２】
前記除去される部分は、フィンまたは内部流路の形状をしている、請求項４１に記載の飲料ホルダ。
【請求項４３】
前記熱交換組立体は、前記レセプタクルの前記一体構造とは異なる部材であり、前記熱交換組立体は少なくとも部分的に前記レセプタクル内に埋め込まれる、請求項３０に記載の飲料ホルダ。
【請求項４４】
前記熱交換組立体は金属を含み、前記レセプタクルは熱伝導性プラスチックを含む、請求項４３に記載の飲料ホルダ。
【発明の詳細な説明】
【技術分野】
【０００１】
本出願は、参照によって本明細書に全体が組み込まれる２０１３年３月１５日に出願された米国特許仮出願の米国特許法第１１９条（ｅ）に基づく優先権の利益を主張する。
【０００２】
本出願は、温度調節式装置一般に関し、特には、温度調節式飲料ホルダおよび容器に関する。
【背景技術】
【０００３】
車両は、１つまたは２つ以上の温度調節式飲料ホルダおよび、１つまたは２つ以上の温度調節式飲料容器の少なくとも一方を有することがある。このような装置は、（例えば、コップ、ボトル、缶および他の入れ物などに入れられた）飲料や食料などを収容して格納し、それらの品目に対して選択的に冷却および加熱の少なくとも一方を行う。
【発明の概要】
【課題を解決するための手段】
【０００４】
いくつかの実施形態によれば、温度調節式装置は、ある品目を収容するように構成され、外面を有する壁を有するレセプタクルを有し、レセプタクルは、少なくとも１つの熱伝導性材料を含む。温度調節式装置は、レセプタクルの壁の外面に固定された熱電装置と、熱電装置に隣接する冷却板を有する液体ループ熱交換システムとをさらに有し、熱電装置は、レセプタクルの壁と冷却板との間に配置され、熱電装置は、レセプタクルと冷却板の両方に対して熱伝導性を有する。
【０００５】
いくつかの実施形態によれば、装置は、飲料容器を収容する飲料ホルダまたはカップホルダを有する。他の実施形態では、装置は容器を有する。一実施形態では、レセプタクルは、周囲環境に対して少なくとも部分的に開放される。いくつかの実施形態では、レセプタクルは密閉された空間を画定するように構成される（例えば、１つまたは２つ以上のドアと他の密閉可能な機構を有する）。いくつかの実施形態によれば、レセプタクルの壁は、側壁と底壁の少なくとも一方を有する。
【０００６】
いくつかの実施形態によれば、冷却板は、入口および出口と、入口と出口との間を延びる液体流路とを含む。いくつかの実施形態では、冷却板は、単体構成または一体構成を有する。一実施形態では、冷却板は、互いに嵌り合うように構成された少なくとも２つの部分を有する。一実施形態では、冷却板は、多部材構成または多部材設計の一部としてふたまたはカバーを含む。
【０００７】
いくつかの実施形態によれば、液体流路は、蛇行形状または屈曲形状を有する。いくつかの実施形態では、液体流路は非直線形状を有する。一実施形態では、液体ループ熱交換システムは、二次熱交換器と、ポンプと、流体導管と、送風機または他の流体移送装置の少なくとも１つをさらに有する。一実施形態では、二次熱交換器は冷却パックから分離される。いくつかの実施形態では、二次熱交換器は空気式熱交換器を有する。
【０００８】
いくつかの実施形態によれば、熱電装置は、レセプタクルの壁の外面に直接固定される。いくつかの実施形態によれば、熱電装置は、レセプタクルの壁の外面に間接的に固定され、少なくとも１つの中間部材が熱電装置とレセプタクルの壁との間に配置され、少なくとも１つの中間部材が熱伝導性を有する。一実施形態では、少なくとも１つの中間部材は、放熱グリスと、伝熱箔と、伝熱パッドと、はんだの少なくとも１つを有する。一実施形態では、少なくとも１つの中間部材は、熱伝導性スペーサブロックまたは他の熱的結合部材もしくは熱的結合機構を有する。
【０００９】
いくつかの実施形態によれば、断熱層が壁の外部の少なくとも一部に沿って配置される。一実施形態では、断熱層は、壁の外部の少なくとも一部に沿ってスペーサブロックの周りに配置され、スペーサブロックは、断熱層が存在するにもかかわらず熱電装置とレセプタクルの壁とが熱接触するのを可能にする。
【００１０】
いくつかの実施形態によれば、壁は、熱電装置と冷却パックの少なくとも一方を直接壁に固定する少なくとも１つの機構を有する。いくつかの実施形態では、少なくとも１つの機構は、留め具を収容する少なくとも１つの開口部（例えば、ねじまたはボルト用開口部、くぼみなど）または機構（例えば、タブ、クランプ、その他の突起部材）を有する。一実施形態では、冷却パックは、少なくとも１つの取付け方法を使用して壁に直接結合され、熱電装置は、冷却パックが壁に結合されたときに壁と冷却パックとの間に配置される。いくつかの実施形態において、少なくとも１つの取付け方法は、ねじ、ボルト、別の留め具、別の機械的連結部、および接着剤の少なくとも１つを含む
【００１１】
いくつかの実施形態によれば、装置は、空気を二次熱交換器の一部を横切らせるかまたは該部分の近くを通過させるように構成された少なくとも１つのブロワをさらに有する。いくつかの実施形態では、レセプタクルの少なくとも１つの熱伝導性材料は、金属と、合金と、熱伝導性熱可塑性材料と、他の熱伝導性材料の少なくとも１つを含む。いくつかの実施形態では、少なくとも１つの熱伝導性材料はアルミニウム、銅、または鋼を含む。いくつかの実施形態では、少なくとも１つの熱伝導性材料は熱伝導性プラスチックを含む。
【００１２】
いくつかの実施形態によれば、温度調節式飲料ホルダは、飲料容器を収容するように構成され、側壁および底壁を有するレセプタクルを有し、レセプタクルは、少なくとも熱伝導性材料（例えば、アルミニウム、銅、高伝導性プラスチックなど）を含む。飲料ホルダは、レセプタクルの側壁または底壁の一部内に配置されたくぼみと、くぼみ内に固定された熱電装置とを有し、熱電装置は、レセプタクルを伝導的に冷却または加熱するように構成される。
【００１３】
いくつかの実施形態によれば、飲料ホルダは、熱電装置から熱を逃がすように構成された少なくとも１つの熱交換組立体をさらに有する。一実施形態では、熱交換組立体は、レセプタクルの一体構造に組み込まれる。一実施形態では、熱交換組立体は空気式熱交換システムを有する。いくつかの実施形態では、熱交換組立体は、複数のフィン、ピン、または同様の熱交換器を有する。いくつかの実施形態では、フィンは、レセプタクルの底壁または側壁に沿ってレセプタクルの一体構造から形成される。
【００１４】
いくつかの実施形態によれば、熱交換組立体は液体ループ熱交換システムを有する。いくつかの実施形態では、熱交換組立体は少なくとも１つの液体流路を有し、少なくとも１つの液体流路は、使用時に熱電装置から熱を奪うために液体を収容するように構成され、少なくとも１つの液体流路は、レセプタクルの壁内に配置された開口部を有する。
【００１５】
いくつかの実施形態によれば、少なくとも１つの液体流路は蛇行パターンとして向きが定められる。いくつかの実施形態では、くぼみおよび少なくとも１つの液体流路の各々は、レセプタクルの底壁内に配置される。いくつかの実施形態では、少なくとも１つの熱伝導性材料は、金属、合金、熱伝導性熱可塑性物質などの少なくとも１つを含む。いくつかの実施形態では、少なくとも１つの熱伝導性材料はアルミニウム、銅、または鋼を含む。いくつかの実施形態では、少なくとも１つの熱伝導性材料は熱伝導性プラスチックを含む。
【００１６】
いくつかの実施形態によれば、熱電装置は、温度の変動に応じてくぼみ内で伸縮することが可能である。一実施形態では、熱交換組立体は、レセプタクルの一体構造の除去される部分によって製造される。いくつかの実施形態では、除去される部分はフィンまたは内部流路の形をしている。
【００１７】
いくつかの実施形態によれば、熱交換組立体は、レセプタクルの一体構造
から得た異なる部材であり、熱交換組立体は少なくとも部分的にレセプタクル内に埋め込まれる。いくつかの実施形態では、熱交換組立体は金属を含み、レセプタクルは熱伝導性プラスチックを含む。
【００１８】
いくつかの実施形態によれば、温度調節式飲料ホルダは、飲料容器を収容するように構成され、少なくとも１枚の側壁および底壁を有するレセプタクルを有し、側壁および底壁は一体構造を形成し、レセプタクルは、少なくとも１つの熱伝導性材料と、側壁および底壁に沿ってレセプタクルの外面に固定された熱電装置とを有する。
【００１９】
いくつかの実施形態によれば、飲料ホルダは液体ループ熱交換システムをさらに有し、液体ループ熱交換システムは、熱電装置に隣接する冷却板を有し、熱電装置はレセプタクルと冷却板との間に配置され、熱電装置は、レセプタクルと冷却板の両方に対して熱伝導性を有する。いくつかの実施形態では、冷却板は、入口および出口と、入口と出口との間を延びる液体流路とを含む。一実施形態では、液体流路は蛇行状を有する。一実施形態では、液体流路は非直線形状を有する。いくつかの実施形態では、液体ループ熱交換システムは、空気式熱交換器と、ポンプと、流体導管とを有する。
【００２０】
本出願のこれらの特徴、態様、および利点ならびにその他の特徴、態様、および利点について、限定はしないが、本明細書において開示された概念を図示するものである特定の実施形態の図面を参照しながら説明する。添付の図面は、本明細書において開示された実施形態の少なくともいくつかの概念を示すために与えられており、原寸に比例していないことがある。
【図面の簡単な説明】
【００２１】
【図１】一実施形態による温度調節式飲料ホルダを概略的に示す図である。
【図２】別の実施形態による温度調節式飲料ホルダを概略的に示す図である。
【図３】一実施形態による温度調節式飲料ホルダを概略的に示す図である。
【図４】別の実施形態による温度調節式飲料ホルダを概略的に示す図である。
【図５ａ】一実施形態による液体ループ熱交換システムを有する温度調節式飲料ホルダを概略的に示す図である。
【図５ｂ】一実施形態による空気式熱交換システムを有する温度調節式飲料ホルダを概略的に示す図である。
【図５ｃ】一実施形態による飲料ホルダの一部の詳細図を概略的に示す図である。
【図６ａ】温度調節式飲料ホルダの一実装形態を概略的に示す図である。
【図６ｂ】温度調節式飲料ホルダの一実装形態を概略的に示す図である。
【図７】液体ループ熱交換システムを有する温度調節式飲料ホルダの一実装形態を概略的に示す図である。
【図８ａ】液体ループ熱交換システムを有する温度調節式飲料ホルダの一実装形態の斜視図である。
【図８ｂ】図８ａの飲料ホルダに使用される液体ループ熱交換システムの様々な構成要素の一実施形態を示す図である。
【図８ｃ】図８ａの飲料ホルダに使用される液体ループ熱交換システムの様々な構成要素の一実施形態を示す図である。
【図８ｄ】図８ａの飲料ホルダに使用される液体ループ熱交換システムの様々な構成要素の一実施形態を示す図である。
【図９ａ】飲料ホルダの一実施形態の斜視底面図である。
【図９ｂ】図９ａの飲料ホルダの底部に固定された液体ループ熱交換システムの冷却板の一実施形態を示す図である。
【図９ｃ】液体ループ熱交換システムの熱交換器ユニットおよび冷却板の各実施形態を示す図である。
【図１０ａ】ドッグボーン形温度調節式飲料ホルダの上面図である。
【図１０ｂ】ドッグボーン形温度調節式飲料ホルダの斜視図である。
【図１１ａ】単一の熱電装置を有する温度調節式飲料ホルダの一実施形態の側面図である。
【図１１ｂ】２つの熱電装置を有する温度調節式飲料ホルダの一実施形態の側面図である。
【図１２ａ】一実施形態による液体ループ熱交換システムを有する温度調節式容器の図である。
【図１２ｂ】一実施形態による液体ループ熱交換システムを有する温度調節式容器の図である。
【図１３ａ】一実施形態による液体ループ熱交換システムを有する温度調節式容器の図である。
【図１３ｂ】一実施形態による液体ループ熱交換システムを有する温度調節式容器の図である。
【図１３ｃ】一実施形態による液体ループ熱交換システムを有する温度調節式容器の図である。
【発明を実施するための形態】
【００２２】
図１は、２つの隣接する飲料レセプクタル（容器：receptacle）２０を有する温度調節式飲料ホルダ１０の一実施形態を概略的に示している。図示されたように、容器１０は、カバーまたはハウジング３０を含んでもよい。熱電装置１００は、各飲料レセプタクル２０の下方に配置され、対応するレセプタクル（および、任意の容器または容器内に入れられた他の品目）を加熱または冷却する。
図示された実施形態では、飲料ホルダ１０は、熱電装置１００と車体１２０との間に配置された熱伝導部材１１０（例えば、ヒートスプレッダ）を有している。図１の矢印によって概略的に示されているように、熱伝導部材１１０は、ファンまたは他の流体移送装置を使用せずに、熱を熱電装置１００から、車体１２０（または他のベース部材）の少なくとも一部を介して逃すことを促進することができる。ある実施形態では、熱伝導部材１１０は、車体１２０を介した熱の放出を促進するために、比較的広い面積を含む。熱伝導部材１１０は、以下のものには限定されないが、金属または合金（例えば、アルミニウムや鋼など）、熱伝導性プラスチックなどを含む１つまたは２つ以上の熱伝導性材料を有していてもよい。
【００２３】
同様に、図２〜４に概略的に示されている飲料ホルダ１０は、流体移送装置または液体ループ熱交換システムを使用せずに、熱を熱電装置１００からベース部材１２０（例えば、車体）に逃がすための熱伝導部材またはヒートスプレッダ１１０を含む。示されたように、熱伝導部材１１０のサイズ、形状および他の特性の少なくとも１つは変更できる。例えば、図３および図４の熱伝導部材１１０は、少なくとも部分的には、飲料容器スタンドまたは支持部材としても機能する。さらに、図４の熱伝導部材１１０は、２つの異なる部分を有する分割設計を含む。
【００２４】
本明細書において開示された飲料ホルダの実施形態に含まれる様々な特徴および概念は、温度調節式容器に組み込まれてもよい（また、温度調節式容器の実施形態に含まれる様々な特徴および概念が、飲料ホルダに組み込まれてもよい）。温度調節式飲料ホルダおよび容器に関するさらなる詳細は、全体が、参照によって本明細書に組み込まれ、本出願の一部とされている、２００７年１月３０日に出願され２０１２年１月３１日に米国特許第８１０４２９５号として発行された米国特許出願第１１／６６９１１７号に記載されている。さらに、本明細書で提供される様々な飲料ホルダおよび構成は伝導方式の温度調整を使用しているが、開示された概念の１つまたは２つ以上が、対流方式のホルダおよび容器に組み込まれてもよい。
【００２５】
図５ａに概略的に示されている飲料ホルダ１０ａは、１つまたは２つ以上の熱伝導性材料を有する飲料レセプタクル２０ａを含んでいる。本明細書に開示されている実施形態のいずれにおいても、熱伝導性材料は、限定されないが、
金属または合金（例えば、アルミニウム、銅、鋼など）、熱伝導性プラスチックなどを含んでもよい。示したように、レセプタクル２０ａは、その底壁内にくぼみまたは他の開口部３０ａを有している。くぼみ３０ａは、熱電装置１００を収容できるような形状、サイズおよび他の構成を有してもよい。他の実施形態では、熱電装置１００を収容するための、このようなくぼみ３０ａは、レセプタクルの側壁または任意の他の部分に沿って配置されてもよい。くぼみ３０、３０ａを有する本明細書で開示された実施形態のいずれにおいても、熱電装置１００は、例えば、放熱グリス、伝熱パッドまたは伝熱箔、はんだ、他の接着剤、留め具、圧入連結部または摩擦ばね連結部などのような、１つまたは２つ以上の取付け方法、装置、または物質を使用して、このようなくぼみ３０、３０ａの中に固定されてもよい。いくつかの実施形態では、くぼみ３０、３０ａを囲むレセプタクル２０ａの一体材料の比較的薄い領域は、一例として、飲料レセプタクル２０ａの上部（例えば、くぼみ３０ａの上方の領域）とレセプタクル２０ａの下部（例えば、熱交換部材を形成および／または含むくぼみの下方の領域）との間の弾性（または部分的に弾性）の連結部を形成することを含む、更なる利点および利益を飲料ホルダ１０ａにもたらすことができる。この設計上の特徴は、このような装置の製造に伴う、不正確さ、公差問題および／または他の不整合によって引き起こされる問題を緩和、さもなければ軽減することができる。さらに、弾性連結部は、くぼみ３０ａ内に配置された熱電装置１００を熱膨張させること、くぼみ３０ａ内への熱電装置１００の挿入および維持を容易にすること、熱電装置１００に対して所定の押圧力を生じさせること（例えば、図５ｃに示されている熱電装置の押圧された端部または挟まれた端部を参照）などの少なくとも１つを可能にする。
【００２６】
引き続き図５ａを参照する。液体ループ熱交換システムは、レセプタクル２０ａ内に、完全または部分的に設けられる。例えば、１つまたは２つ以上の液体流路２４ａは、レセプタクル２０ａの本体を貫通するように配設し、かつその本体内に形成されてもよい。したがって、いくつかの実施形態では、単体または一体のレセプタクル構造が熱電装置１００のメイン側と廃棄側の両方に熱的に結合されている。図示のように、流路２４ａは、熱電装置１００と流路２４ａ内を循環する液体との間の伝熱を推進するようにくぼみ３０ａに隣接して（例えば、くぼみ３０ａの真下に）配置されてもよい。
【００２７】
図５ｂに示され飲料ホルダ１０ａは、レセプタクルの単体構造によって形成された熱交換組立体２４ｂも有する。しかしながら、図５ｂの熱交換組立体２４ｂは空気式であり、液体式ではない。熱交換組立体２４ｂは、組立体２４ｂに沿って空気を通過させる送風機（blower）または他の流体移送装置を使用するか否かに関わらず、熱が拡散できる複数のフィンまたは他の部材を有してもよい。したがって、いくつかの実施形態では、熱交換組立体２４ａ、２４ｂが一体構造または単体構造を有するカップレセプタクル２０ａ、２０ｂに組み込まれてもよい。
【００２８】
したがって、いくつかの実施形態では、一体レセプタクル２０ａ、２０ｂはメイン側熱交換器と廃棄側交換器を兼ねる。従来の熱電システムは、熱電装置のメイン側に沿って生じる温度調節の目標とされるレベルが、廃棄側に沿って生じる逆方向の温度調節によって相殺されたり、他の負の影響を受けたりしないように、熱ギャップまたは他の熱的不連続部を有する。しなしながら、図５ａおよび図５ｂにて開示された飲料ホルダ実施形態では、熱電装置１００が配置されるくぼみまたは他の開口部３０ａ、３０ｂは、上方の領域と下方の領域との間に部分的な熱伝導性障壁を形成することを助ける。例えば、いくつかの実施形態では、飲料レセプタクル２０ａ、２０ｂの側壁が、くぼみ３０ａ、３０ｂを囲むレセプタクル２０ａ、２０ｂの比較的薄い部分に沿ってのみ、レセプタクルの底壁との一体連結部を形成する。
【００２９】
図６ａおよび図６ｂは、独立した熱伝達組立体１５０ｃ、１５０ｄを、少なくともレセプタクルの構造内に部分的に組み込んだ飲料ホルダ１０ｃ、１０ｄの熱伝導性単体レセプタクル２０ｃ、２０ｄの実施形態を概略的に示している。例えば、図６ａでは、熱交換組立体１５０ｃは、カップレセプタクル２０ｃの底壁を貫通して延びる空気式熱交換システムを有する。同様に、図６ｂでは、レセプタクル２０ｄは、その構造内に液体ループ熱交換システム１５０ｄを、収容または他の方法で組み込んでいる。図示の実施形態では、熱交換システム１５０ｄは、レセプタクル２０ｄによって完全にカプセル化または囲まれる。しかしながら、他の実施形態では、熱交換システム１５０は、レセプタクル２０ｄに部分的にだけ囲まれる。
【００３０】
液体ループ熱交換システムを有する温度調節式飲料ホルダ２１０の一実施形態が図７に概略的に示されている。示されたように、１つまたは２つ以上の熱電装置１００をレセプタクル２２０と熱接触するように配置されてもよい。例えば、本明細書において開示された他の構成を参照して説明するように、熱電装置１００が熱伝導性カップレセプタクル２２０の壁（例えば、底壁、側壁など）に沿って配置されてもよい。
【００３１】
引き続き図７を参照するとわかるように、冷却板２６０を熱電装置１００の廃棄側で熱接触するように配置させてもよい。したがって、（例えば、熱電装置１００がカップレセプタクルを冷却するときに）熱電装置１００によって発生する熱は、冷却板２６０内を流れる液体に伝達されてもよい。本明細書において詳細に説明するように、冷却板２６０は、熱伝導性を有してもよく、１つまたは複数の流路または通路を有してもよい。したがって、熱は、熱電装置１００の廃棄側から冷却板２６０の流路を通過する水と他の液体の少なくとも一方へ伝達されてもよい。冷却板２６０から流出する加熱された液体は、１つまたは２つ以上の流体ポンプ２７０を使用して、１つまたは２つ以上の二次熱交換器２８０（例えば、空気熱交換器、その他の放熱器２８０など）、液体槽などの少なくとも１つを介して、管、チューブまたは他の導管内を移送されてもよい。いくつかの実施形態では、このような液体ループ熱交換システムを介した液体の循環によって、冷却板２６０から流出する液体から熱が奪われる。本明細書において開示された実施形態のいずれにおいても、１つまたは２つ以上の流体移送装置（例えば、送風機、ファンなど）が、空気および他の流体の少なくとも一方を、二次熱交換器２８０に供給すること、二次熱交換器２８０を介して供給すること、および、二次熱交換器２８０の近くに供給することの少なくとも１つを選択的に行う。いくつかの実施形態では、このような流体移送装置の使用は、このような二次熱交換器２８０に沿って所望のまたは必要な伝熱特性を向上させる助けとすることができる。
【００３２】
図８ａ〜８ｄは、図７を参照して上述した液体ループ熱交換システムと同様の液体ループ熱交換システムを有する温度調節式カップホルダの一実施形態を示している。示されたように、カップホルダ２１０は、２つのカップレセプタクル２２０と、以下の１つまたは２つ以上、つまり、レセプタクル２２０の少なくとも一部と熱接触する熱電装置１００（図示せず）、流体ポンプ２７０、空気熱交換器２８０、液体槽、システムを介して流体を循環させる流体導管２７２などのうちの１つまたは２つ以上とを含んでもよい。
【００３３】
図８ｄおよび図９ｂを参照すると、冷却板２６０は、いくつかの実施形態では、屈曲形状、蛇行状、または正弦波状を有する１つまたは２つ以上の内部流路２６２を含んでもよい。本明細書では例示されないが、カバリングまたはプレートが、流路２６２を密閉し、かつ、冷却板２６０を介して（入口２６８から出口２６６へ）液体を移送することを可能にするために、流路２６２に近接して配置されてもよい。他の構成では、流路２６２の形状と、サイズと、レイアウトと、向きと、その他の特徴の少なくとも１つが図８ｄおよび図９ｂに示されているものと異なっていてもよい。
【００３４】
図９ａは、熱電装置１００を収容するように構成された熱伝導性飲料レセプタクル２２０の底面を示している。熱電装置１００は、飲料レセプタクル２００の外面に（例えば、図９ａにおける斜線の領域１０２に沿って）直接または間接的に固定されてもよい。例えば、熱電装置１００は、放熱グリス、伝熱箔または伝熱パッドと、他の接着剤などの少なくとも１つを使用してレセプタクル２２０上に配置してもよい。
【００３５】
図９ｂに示されているように、熱電装置１００の廃棄側に隣接して配置された冷却板２６６は、（例えば、１つまたは２つ以上のねじ、ボルト、または他の留め具を使用して）飲料レセプタクル２２０の底壁に固定される。上で指摘されているように、流路２６２を密閉するために、カバーまたは他の密封部材（不図示）が冷却板２６０に接触するように配置されてもよい。したがって、いくつかの実施形態では、冷却板２６０と熱電装置１００は、一体または単体のレセプタクル２２０の１つまたは２つ以上の表面に沿って直接配置されてもよい。
【００３６】
図１０ａおよび図１０ｂは、２つのレセプタクル３２０を有する飲料ホルダ３１０の一実施形態を示している。図示の構成では、飲料ホルダ３１０はドッグボーン形状を有している。本明細書において開示された他の実施形態と同様に、ホルダ３１０の飲料レセプタクル３２０は、１つまたは２つ以上の熱伝導性材料を含む一体または単体の構造を含んでもよい。図示の構成では、単一の熱電装置１００が側壁の一部に沿って（例えば、概ね２つのレセプタクル３２０の間に設けられた領域に）配置される。したがって、単一の熱電装置１００は、２つの飲料レセプタクル３２０を伝導的に冷却または加熱するために使用されてもよい。単一の熱電装置１００を含む同様に構成された飲料ホルダ３１０ａの側面図が図１１ａに示されている。図１１ｂの飲料ホルダ３１０ｂなどの他の実施形態では、各飲料レセプタクルは専用の熱電装置１００を有している。
【００３７】
温度調節式容器または他の密閉された容器に液体ループ熱交換システムが同様に組み込まれてもよい。このような容器４１０の一実施形態が図１２ａ〜１２ｂおよび図１３ａ〜１３ｃに示されている。示されたように、容器４１０は、食品、飲料および任意の他の品目の少なくとも１つを収容するように構成された内部空間４２０を含んでもよい。内部空間４２０は、一体または単体の構成を有する側壁４２２によって画定される。本明細書で開示された飲料ホルダ構成と同様に、側壁４２２は、１つまたは２つ以上の熱電装置１００と熱接触するように配置されてもよい。示されたように、連結部材またはスペーサブロック４２４は、熱電装置１００を容器４１０と熱接触するように配置するために、側壁４２２と熱電装置１００との間に配置されてもよい。このことは、熱電装置１００を容器４１０の側壁４２２上に直接固定することが不可能な場合、困難な場合、または非実用的な場合に特に有用である。例えば、このような熱伝導性連結部材またはスペーサブロック４２４は、断熱材料の１つまたは２つ以上の層を有する容器の各実施形態で使用されてもよい（例えば、図１２ａの絶縁層４２６を参照されたい。図を明確にするために絶縁層４２６の小さい一部のみが示されている。しかし、いくつかの実施形態では、絶縁層４２６は、所望または必要に応じてレセプタクルまたは容器の壁の全てまたは実質的な外面に沿って延びていてもよい）。このような連結部材またはスペーサブロック４２４の使用は、（例えば、ホルダまたは容器の壁の周りに１つまたは２つ以上の層または構成部材があるかどうかの場合において、熱電装置を、このようなホルダまたは容器の壁と熱接触させることを可能にするために）本明細書において開示されたあらゆる温度調節式飲料ホルダおよび容器の実施形態に組み込まれてもよい。
【００３８】
図１２ａおよび図１２ｂに示されているように、温度調節式容器４１０は、使用時に熱電装置１００から熱を奪う液体ループ熱交換システムを有してもよい。いくつかの実施形態では、液体ループ熱交換システムは、熱電装置１００と熱接触するように設けられた冷却板４６０を含んでいる。本明細書において他の構成を参照して説明したように、冷却板４６０は、液体が流れることができる１つまたは２つ以上の内部流路を含んでもよい。いくつかの実施形態では、図８ｄおよび９ｂに示されているように、冷却板４６０の流路２６２は蛇行状形状または他の屈曲形状を含んでもよい。
【００３９】
引き続き図示１２ａおよび図１２ｂを参照すると、液体は、冷却板４６０の管、チューブおよび他の流体導管４７２の少なくとも１つの間で移送されてもよい。本明細書で開示された飲料ホルダ構成と同様に、液体（例えば、水）を冷却板４６０の内部を循環させて隣接する熱電装置１００から熱を奪ってもよい。また、加熱された液体が、１つまたは２つ以上の二次熱交換器または放熱器（例えば、空気式熱交換器、液体式熱交換器、任意の他の種類の熱交換器など）と、１つまたは２つ以上の槽と、１つまたは２つ以上の他の液体ループ熱交換システム構成部材の少なくとも１つを循環してもよい。液体ループ熱交換システムを有する温度調節式容器４１０の同様に構成された実施形態が図１３ａ〜１３ｃに示されている。本明細書で開示された実施形態のいずれにおいても、１つまたは２つ以上の流体移送装置（例えば、送風機、ファンなど）が、空気および他の流体の少なくとも一方を、二次熱交換器に供給すること、二次熱交換器を介して供給すること、および、二次熱交換器の近くに供給することの少なくとも１つを選択的に行う。いくつかの実施形態では、このような流体移送装置の使用は、このような第２の熱交換器に沿って所望のまたは必要な伝熱特性を向上させる助けとすることができる。
【００４０】
開示された実施形態の説明の助けとして、上記では、上方、上部、底部、下方、下部、後部、前部、垂直、水平、上流、下流などの語を使用して様々な実施形態と添付の図面の少なくとも一方について説明した。しかし、様々な実施形態が、図示されているか否かにかかわらず、様々な所望の位置に配置されかつそれらの位置において向きを定められてもよいことが了解されよう。
【００４１】
本明細書では、いくつかの実施形態および例が開示されたが、本出願は、具体的に開示された実施形態を超えて他の代替実施形態と本発明の使用ならびに本発明の修正実施形態および均等実施形態との少なくとも一方に拡張される。各実施形態の特定の特徴および態様の様々な組合せまたは部分組合せがなされてもよく、かつそのような組合せは依然として本発明の範囲内であると考えられる。したがって、開示された実施形態の様々な特徴および態様が、開示された発明の様々な形態を形成するように互いに組み合わされるかまたは置換されてもよいことを理解されたい。したがって、本明細書において開示された本発明の範囲は、開示された上述の特定の実施形態によって限定されるべきではなく、以下の特許請求の範囲を公正に読むことによってのみ判定されるべきである。
【００４２】
本発明には様々な修正実施形態および代替形態が考えられるが、その特定の例が図示され、本明細書に詳しく記載されている。しかし、本発明が開示された特定の形態または方法に限定されず、逆に、本発明が前述の様々な実施形態および添付の特許請求の範囲の趣旨および範囲内のすべての修正実施形態、均等実施形態、および代替実施形態を対象とすることを理解されたい。本明細書において開示されたあらゆる方法は記載された順序で実行される必要はない。本明細書において開示された範囲は、そのあらゆる重複、部分範囲、および組合せも包含する。「まで」、「少なくとも」、「よりも多い」、「よりも少ない」、「間」などの語は記載された数を含む。「約」または「概ね」などの語の後に続く数は記載された数を含む。例えば、「約１０ｍｍ」は「１０ｍｍ」を含む。「実質的に」などの語の後に続く語または句は、記載された語または句を含む。例えば、「実質的に平行な」は「平行な」を含む。
【図１】
2016519274.tif 000003
【図２】
2016519274.tif 000004
【図３】
2016519274.tif 000005
【図４】
2016519274.tif 000006
【図５Ａ】
2016519274.tif 000007
【図５Ｂ−５Ｃ】
2016519274.tif 000008
【図６Ａ】
2016519274.tif 000009
【図６Ｂ】
2016519274.tif 000010
【図７】
2016519274.tif 000011
【図８Ａ】
2016519274.tif 000012
【図８Ｂ】
2016519274.tif 000013
【図８Ｃ】
2016519274.tif 000014
【図８Ｄ】
2016519274.tif 000015
【図９Ａ】
2016519274.tif 000016
【図９Ｂ】
2016519274.tif 000017
【図９Ｃ】
2016519274.tif 000018
【図１０Ａ】
2016519274.tif 000019
【図１０Ｂ】
2016519274.tif 000020
【図１１Ａ】
2016519274.tif 000021
【図１１Ｂ】
2016519274.tif 000022
【図１２ａ】
2016519274.tif 000023
【図１２ｂ】
2016519274.tif 000024
【図１３ａ】
2016519274.tif 000025
【図１３ｂ】
2016519274.tif 000026
【図１３ｃ】
2016519274.tif 000027
【国際調査報告】
2016519274.tif 000028
2016519274.tif 000029
2016519274.tif 000030